(57)【要約】      （修正有）【課題】縦葺き屋根板の成形が容易であり、強固な保持作用と確実な防水作用を果たす縦葺き屋根構造を提供する。【解決手段】縦葺き屋根板１は、面板部１１の左右の端縁に、下り段状に成形されると共にその先端が上方へ屈曲された側縁部１３が形成され、下部保持部材２は、下地４への固定部２１と、左右一対の取付部２２と、縦葺き屋根板１の側縁部１３を下方から支持する支持部２３とを備え、上部保持部材３は、縦葺き屋根板１の側縁部１３を上方から覆う覆い部３１と、下部保持部材２の取付部２２に取り付けられる係合部３２とを備え、下地４上に固定した下部保持部材２の左右に縦葺き屋根板１，１を配設した状態で、上部保持部材３の係合部３２を下部保持部材２の取付部２２に係合させることで、縦葺き屋根板１の左右の側縁部１３，１３を上下から挟着して保持する。【選択図】図１
2020045698.tif 000002
【特許請求の範囲】
【請求項１】
左右に隣り合う縦葺き屋根板の側縁部を、上部保持部材と下部保持部材で挟着して接続する縦葺き屋根構造であって、
前記縦葺き屋根板は、面板部の左右の端縁に、下り段状に成形されると共にその先端が上方へ屈曲された側縁部が形成され、
前記下部保持部材は、下地への固定部と、左右一対の取付部と、前記縦葺き屋根板の側縁部を下方から支持する支持部と、を備え、
前記上部保持部材は、前記縦葺き屋根板の側縁部を上方から覆う覆い部と、前記下部保持部材の取付部に取り付けられる係合部と、を備え、
下地上に固定した下部保持部材の左右に前記縦葺き屋根板を配設した状態で、前記上部保持部材の係合部を前記下部保持部材の取付部に係合させることで、前記縦葺き屋根板の左右の側縁部を上下から挟着して保持することを特徴とする縦葺き屋根構造。
【請求項２】
中央に隆起部を備える排水部材を下地に配設し、下部保持部材を前記隆起部に配した状態で固定具を打ち込んで固定することを特徴とする請求項１に記載の縦葺き屋根構造。
【請求項３】
少なくとも左右の縦葺き屋根板の側縁部間を覆うカバー材が、上部保持部材に一体的に組み付けられていることを特徴とする請求項１又は２に記載の縦葺き屋根構造。
【発明の詳細な説明】
【技術分野】
【０００１】
本発明は、縦葺き屋根板の成形が容易であり、強固な保持作用と確実な防水作用を果たす縦葺き屋根構造に関する。
【背景技術】
【０００２】
従来、左右側縁部に加工を施さない平板状の屋根板を用いた屋根構造として、特許文献１のような構造が提案されている。
当該特許文献１に用いられた屋根板は、側縁部に立ち上げ部（ハゼ部）が形成されていないため、ロール状の金属板材を現場に持ち込み、現場にて必要長さの金属板材を切断して施工に供することができるという利点を有する。
【０００３】
しかし、前記特許文献１に提案される屋根構造では、確かに屋根板の成形加工の点では優れているが、屋根板の側縁部を挟着しているに過ぎないので、例えば屋根面に負圧等が作用した際には容易に挟着が外れてしまうものであった。即ち面板部が上方へ引き上げられ、挟着されていた側縁が容易に外れてしまい、屋根板が外れ落ちたり、風で飛散するといった事故を起こす恐れがあった。
また、屋根板の側縁部を挟着しているに過ぎないので、屋根板の裏面側へ薄い等が廻り込み易いため、漏水を生ずる恐れもあった。
【０００４】
そのため、本発明者らは、左右の側縁部として微少な成形を加えることにより、安定に保持される構造を特許文献２，３として提案した。これらのうち、特許文献２に提案した屋根構造は、屋根材の側縁に長孔状の貫通孔を形成して上部材と下部材とで挟着するものであり、特許文献３に提案した屋根構造は、側面視Ｚ字状の係止部を形成して上部材と下部材とで挟着するものである。
【先行技術文献】
【特許文献】
【０００５】
【特許文献１】実開平２−１４３４１９号公報
【特許文献２】特許第２５６９２６６号公報
【特許文献３】特許第２８７４８２２号公報
【発明の概要】
【発明が解決しようとする課題】
【０００６】
しかしながら、前記特許文献２では、屋根材に複数の貫通孔を形成するので、当該貫通孔からの雨水の廻り込みは避けられない。また、前記特許文献３の側面視Ｚ字状の係止部では、係止作用も水返し作用も十分には得られなかった。
そこで、本発明は、縦葺き屋根板の成形が容易であり、強固な保持作用と確実な防水作用を果たす縦葺き屋根構造を提案することを目的とする。
【課題を解決するための手段】
【０００７】
本発明は、上記に鑑み提案されたもので、左右に隣り合う縦葺き屋根板の側縁部を、上部保持部材と下部保持部材で挟着して接続する縦葺き屋根構造であって、前記縦葺き屋根板は、面板部の左右の端縁に、下り段状に成形されると共にその先端が上方へ屈曲された側縁部が形成され、前記下部保持部材は、下地への固定部と、左右一対の取付部と、前記縦葺き屋根板の側縁部を下方から支持する支持部と、を備え、前記上部保持部材は、前記縦葺き屋根板の側縁部を上方から覆う覆い部と、前記下部保持部材の取付部に取り付けられる係合部と、を備え、下地上に固定した下部保持部材の左右に前記縦葺き屋根板を配設した状態で、前記上部保持部材の係合部を前記下部保持部材の取付部に係合させることで、前記縦葺き屋根板の左右の側縁部を上下から挟着して保持することを特徴とする縦葺き屋根構造に関するものである。
【０００８】
また、本発明は、前記縦葺き屋根構造において、中央に隆起部を備える排水部材を下地に配設し、前記下部保持部材を隆起部に配した状態で固定具を打ち込んで固定することを特徴とする縦葺き屋根構造をも提案する。
【０００９】
また、本発明は、前記縦葺き屋根構造において、少なくとも左右の縦葺き屋根板の側縁部間を覆うカバー材が、上部保持部材に一体的に組み付けられていることを特徴とする縦葺き屋根構造をも提案する。
【発明の効果】
【００１０】
本発明の縦葺き屋根構造は、用いる縦葺き屋根板が、下り段状に形成される段部と上方へ屈曲された側縁部とを備える極めて簡易な構成であるから、その成形加工が極めて容易であり、水返し片状に形成される側縁部が上部保持部材及び下部保持部材により挟持される被挟持部分となるので、強固な保持作用と確実な防水作用を果たすことができる。
【００１１】
また、中央に隆起部を備える排水部材を下地に配設し、前記下部保持部材を前記隆起部に配した状態で固定具を打ち込んで固定する場合、仮に側縁部の裏面側に雨水等が廻り込んだとしても排水部材の排水部にて確実に流下（排水）させることができる。
【００１２】
また、少なくとも左右の縦葺き屋根板の側縁部間を覆うカバー材が、上部保持部材に一体的に組み付けられている場合には、例えば上部保持部材をピース材とし、カバー材を通し材として作製することもできる。
【図面の簡単な説明】
【００１３】
【図１】（ａ）本発明の第１実施例の縦葺き屋根構造を示す正面図、（ｂ）縦葺き屋根板の接続部分を拡大して示す正面図である。
【図２】（ａ）第１実施例の縦葺き屋根構造に用いた縦葺き屋根板を示す正面図であり、上段は成形前、下段は成形後を示す正面図、（ｂ）用いた排水部材を示す正面図、（ｃ）用いたカバー材を示す正面図、（ｄ）用いた上部保持部材を示す正面図、（ｅ）用いた下部保持部材及び固定具を示す正面図、（ｆ）第１実施例の縦葺き屋根構造の側断面図である。
【図３】（ａ）本発明の第２実施例の縦葺き屋根構造を示す正面図、（ｂ）縦葺き屋根板の接続部分を拡大して示す正面図、（ｃ）用いた縦葺き屋根板の側縁部を拡大して示す正面図、（ｄ）用いた排水部材を拡大して示す正面図である。
【図４】（ａ）本発明の第３実施例の縦葺き屋根構造を示す正面図、（ｂ）用いた上部保持部材にカバー材を取り付けた状態を拡大して示す正面図、（ｃ）用いた縦葺き屋根板の側縁部を拡大して示す正面図、（ｄ）用いた下部保持部材を拡大して示す正面図、（ｅ）用いた排水部材の搬送状態を示す正面図である。
【図５】（ａ）本発明の第４実施例の縦葺き屋根構造において下部保持部材に左右に隣り合う縦葺き屋根板を配設した状態を示す正面図、（ｂ）上部保持部材及びカバー材を取り付けた施工後の状態を示す正面図である。
【発明を実施するための形態】
【００１４】
本発明の縦葺き屋根構造は、左右に隣り合う縦葺き屋根板の側縁部を、上部保持部材と下部保持部材で挟着して接続するものである。
前記縦葺き屋根板は、面板部の左右の端縁に、下り段状に成形されると共にその先端が上方へ屈曲された側縁部が形成される。
前記下部保持部材は、下地への固定部と、左右一対の取付部と、前記縦葺き屋根板の側縁部を下方から支持する支持部と、を備える。
前記上部保持部材は、前記縦葺き屋根板の側縁部を上方から覆う覆い部と、前記下部保持部材の取付部に取り付けられる係合部と、を備える。
そして、下地上に固定した下部保持部材の左右に前記縦葺き屋根板を配設した状態で、前記上部保持部材の係合部を前記下部保持部材の取付部に係合させることで、前記縦葺き屋根板の左右の側縁部を上下から挟着して保持することを特徴とする。
【００１５】
前記縦葺き屋根構造を構成する縦葺き屋根板、下部保持部材、上部保持部材を、以下に、それぞれ詳細に説明する。
【００１６】
前記縦葺き屋根板は、面板部の左右の端縁に、裏面側への下り段状に成形されると共にその先端が上方へ屈曲された側縁部が形成される構成であって、言い換えれば下り段状部と水返し片状の側縁部とを備える。
前記面板部は平板状でも波状でも特に限定するものではないが、前述のようにこの縦葺き屋根板の成形（加工）を容易とすることを目的としているので、専ら後述する図示実施例のように平板状とすることが望ましい。
なお、この縦葺き屋根板は、公知の金属素材等より成形され、ロール成形やプレス成型、或いは両者の組合せにより成形（成型）されるものであり、その素材厚は特に限定するものではないが、概ね０．４乃至１．６ｍｍ程度である。
【００１７】
前記上部保持部材は、前述のように前記縦葺き屋根板の側縁部を上方から覆う覆い部と、後述する下部保持部材の取付部に取り付けられる係合部と、を備える構成である。
前記覆い部は、左右に隣り合う縦葺き屋根板の側縁部を上方から覆うものであるから、左右にそれぞれ形成してもよいし、一連に形成してもよい。特にこの覆い部をＬ字状に形成して上方から囲う場合には、負圧等が作用して面板部の中央方向へ引っ張られても、当該Ｌ字状の覆い部の縦片に側縁部の先端が当接（係止）し、面板部への引っ張りによる外れを防止するため望ましい。
また、前記係合部についても特にその形状等を限定するものではなく、下部保持部材の取付部を連結受部とすれば、この係合部はその連結受部への連結部である。即ち係合にて連結可能であれば両部位はどのように形成してもよい。
なお、この上部保持部材は、後述するカバー材を用いない場合、即ちカバー材を兼ねる場合には流れ方向に連続する通し材が用いられるが、カバー材を用いる場合には一定長さのピース材でもよい。
【００１８】
前記下部保持部材は、前述のように下地への固定部と、左右一対の取付部と、前記縦葺き屋根板の側縁部を下方から支持する支持部と、を備える構成である。
前記支持部は、左右に隣り合う縦葺き屋根板の側縁部を下方から支持するものであるから、左右にそれぞれ形成してもよいし、一連に形成してもよく、特にその形状等を限定するものではない。
なお、この下部保持部材は、流れ方向に連続する一定長さの成型材である。
また、前記支持部の外側には、後述する図示実施例に示すように縦葺き屋根板の下り段状部及び面板部の端縁を下方から支持するＬ字状片を形成してもよい。このＬ字状片の横片（フランジ）は、雪止めや太陽熱集熱器機等の取付箇所とすることができる。
【００１９】
前述のように上部保持部材の係合部と下部保持部材の取付部とは、連結可能であればどのように形成してもよく、例えば後述する図示実施例のうち、第１実施例のようにスライド状に組み付けるものでもよいし、第２、第３実施例のように上方から押圧して弾性嵌合させるようにしてもよい。
【００２０】
そして、前記縦葺き屋根板の側縁部は、前記上部保持部材の覆い部にて、上方から覆われると共に、前記下部保持部材の支持部にて、下方から支持される構成であるから、上下から挟着状に保持される被挟持部分となる。
この側縁部は、前述のように先端が上方へ屈曲されて水返し片状に形成されるため、その先端が当接（係止）するように覆い部をＬ字状に形成することが望ましい。
【００２１】
また、本発明の縦葺き屋根構造には、左右に隣り合う縦葺き屋根板間に排水部材を配設していることが望ましく、特に中央に隆起部を備える排水部材を下地に配設し、前記下部保持部材を前記隆起部に配した状態で固定具を打ち込んで固定することが望ましい。仮に側縁部の裏面側に雨水等が廻り込んだとしても、排水部材の排水部にて確実に流下（排水）させることができるからである。
【００２２】
また、前述のように上部保持部材を一定長さのピース材とした場合には、長さ方向に連続するカバー材を用いることにより、雨水等の浸入を防止することができる。少なくとも左右の縦葺き屋根板の側縁部間を覆うカバー材が、上部保持部材に一体的に組み付けられている場合には、例えば上部保持部材をピース材とし、カバー材を通し材として作製することもできる。
【実施例１】
【００２３】
図１に示す本発明の第１実施例の縦葺き屋根構造は、左右に隣り合う縦葺き屋根板１，１の側縁部１３，１３を、上部保持部材３と下部保持部材２で挟着して接続する構造である。
前記縦葺き屋根板１は、面板部１１の左右の端縁に、下り段状に成形されると共にその先端が上方へ屈曲された側縁部１３が形成される。
前記下部保持部材２は、下地４への固定部２１と、左右一対の取付部２２と、前記縦葺き屋根板１の側縁部１３を下方から支持する支持部２３と、を備える。
前記上部保持部材３は、前記縦葺き屋根板１の側縁部１３を上方から覆う覆い部３１と、前記下部保持部材２の取付部２２に取り付けられる係合部３２と、を備える。
そして、下地４上に固定した下部保持部材２の左右に前記縦葺き屋根板１，１を配設した状態で、前記上部保持部材３の係合部３２を前記下部保持部材２の取付部２２に係合させることで、前記縦葺き屋根板１の左右の側縁部１３，１３を上下から挟着して保持している。
【００２４】
前記縦葺き屋根板１は、この図示実施例では図２（ａ）の下段に示すように略水平状の平板部分である面板部１１の左右の端縁に、下り段状部１２と水返し片状の側縁部１３とを備える構成であり、ロール成形やプレス成型、或いは両者の組合せにより成形（成型）され、その素材厚は概ね０．４乃至１．６ｍｍ程度に成型した。なお、同図における上段は、成形前の金属板材を示す。なお、１ｂは、面板部１１の裏面に添設された裏貼り材である。
【００２５】
前記下部保持部材２は、この図示実施例では略Ｈ字状の左右の縦片が大きく拡開する部材であって、図２（ｅ）に示すように略水平状の横片２１が下地４への固定部であり、左右の縦片を、高さの中間に外側へ膨出状に形成することにより、横片の側端が係合する横溝２２が左右一対の取付部であり、左右の縦片の上端から外側へ略水平状に延在する横片２３が前記下り段状部１２（や前記側縁部１３の下方部分）を下方から支持する支持部であり、更に外側へ延在するＬ字状片２４が下り段状部１２及び面板部１１の端縁を支持している。なお、同図における符号２ｂは該下部保持部材２の固定具である。
【００２６】
前記上部保持部材３は、この図示実施例では逆π字状の部材であって、図２（ｄ）に示すように前記縦葺き屋根板１の側縁部１３を上方から覆うＬ字状の覆い部３１と、前記下部保持部材２の取付部２２に取り付けられる横片状の係合部３２とを備える一定長さのピース材である。また、前記覆い部３１と前記係合部３２とを繋ぐ左右の縦片には、互いへ突き合わせる方向へ突出する突起３３が形成され、該突起３３が後述するカバー材５の係合部５２を係合させる被係合部となっている。
【００２７】
前記下地４は、母屋などの図示しない躯体の上に木毛セメント板などからなる野地板と敷設し、更にその上にアスファルトルーフィング４１を配設してなる構成である。
【００２８】
この第１実施例には、左右に隣り合う縦葺き屋根板１，１間に排水部材６を配設する構成を採用している。
この第１実施例における排水部材６は、図２（ｂ）に示すように底面部６１の略中央に上方へ凸状の隆起部６１１を備え、前記底面部６１の左右端を上方へ立ち上げて側面部６２，６２としており、前記隆起部６１１を挟んで左右に排水部６０，６０が形成されている構成である。
【００２９】
また、この第１実施例には、前記上部保持部材３に係合するカバー材５が用いられている。
このカバー材５は、図２（ｃ）に示すように長さ方向に連続する通し材であって、隣り合う縦葺き屋根板１，１の側縁部１３，１３間を覆う略平坦状の被覆部５１の左右の端縁を裏面側へ折り返し、更に下方へ折り下げると共に、その下端をそれぞれ外側へ跳ね上げ状に折り曲げて係合部５２，５２を設けた構成である。なお、このカバー材５の被覆部５１の左右の端縁は、膨出する円弧状に成形されている。
【００３０】
これらの各部材からなる第１実施例の縦葺き屋根構造を施工するには、以下の手順で行う。
まず、前記下地４の上に、適宜間隔で断面矩形状の断熱材７を配設し、その配設間隔に前記排水部材６を配すると共にその隆起部６１１に跨るように前記下部保持部材２を配設し、固定具２ｂにて下地４に固定する。
次に、前記断熱材７上に前記縦葺き屋根板１を配設し、その面板部１１の端縁及び下り段状部１２を前記下部保持部材２のＬ字状片２４に載置させると共に、その下り段状部１２を前記支持部２３に載置させる。
続いて、前記上部保持部材３の係合部３３を、前記下部保持部材２の取付部２２に対し、側方から、即ち図１（ｂ）では図面の前方側から奥側へ、図２（ｆ）では右方（棟側）から左方へ、スライド状に差し込むように係合させて連結する。なお、同図における符号３４は、上部保持部材３の棟側端に形成したストッパーを示し、軒側への流れ止め（抜け止め）になっている。
その後、前記カバー材５を上方から臨ませ、上部保持部材３の係合部３３，３３に係合するように上方から押圧して係合部５２，５２を弾性係合させて取り付け、略平坦状の外装面を形成する。
【００３１】
そして、前記各部材から構成される第１実施例の縦葺き屋根構造は、用いた縦葺き屋根板１が、下り段状に形成される段部１２と上方へ屈曲された側縁部１３とを備える極めて簡易な構成であるから、その成形加工が極めて容易であり、更に水返し片状に形成される側縁部１３が、上部保持部材３及び下部保持部材２により挟持される被挟持部分となるので、強固な保持作用と確実な防水作用を果たす。
【００３２】
また、この第１実施例では、中央に隆起部６１１を備える排水部材６を下地４に配設し、下部保持部材２を隆起部６１１に配した状態で固定具２ｂを打ち込んで固定したので、仮に側縁部１３の裏面側に雨水等が廻り込んだとしても排水部材６の排水部６０にて確実に流下（排水）させることができる。
【００３３】
また、この第１実施例では、左右の縦葺き屋根板１，１の側縁部１３，１３間を覆うカバー材５が、上部保持部材３に係合する構成、即ち一体的に組み付けられる構成を採用したので、図２（ｆ）に示すように上部保持部材３をピース材とし、カバー材５を通し材として作製することができる。なお、同図における符号１ｃは、仮止め用のビスを示すが、前記図１には図示しなかった。但し、後述する第２実施例のように下部保持部材２の支持部２３に縦葺き屋根板１の下り段状部１２を沿わせた状態で仮止め用のビス１ｃを打ち込んでもよい。
なお、この第１実施例では前述のように上部保持部材３を取り付けた後にカバー材５を上方から弾性係合する例であるが、上部保持部材３のスライド状の差し込みが可能であれば、配設前に予めカバー材５を弾性係合しておき、その複合部材を下部保持部材２に対して連結するように施工してもよい。
また、前記Ｌ字状片２４の横片（フランジ）を、図示しない雪止めや太陽熱集熱器機等の取付箇所とすることができる。
【００３４】
図３（ａ），（ｂ）に示す第２実施例の縦葺き屋根構造は、上部保持部材３IIと下部保持部材２IIとの連結構造が異なる以外の構成は、殆ど前記第１実施例と同様であるから図面に同一符号（但し、符号にIIを付記した）を付して説明を省略する。
この第２実施例の下部保持部材２IIの取付部２２iiは、横片２１から上方へ延在する起立片の先端に鏃状に形成され、上部保持部材３IIの係合部３２iiは、横片３１iiから裏面側へ延在する下向き片の先端に鏃状に形成されているので、この係合部３２iiは前記取付部２２iiへ上方から弾性的に係合させることができる。
そのため、前記上部保持部材３IIを、前記下部保持部材２IIに取り付ける際には、上方から押圧する係合させて連結する。
【００３５】
なお、この第２実施例における縦葺き屋根板１IIの被覆部１３iiは、水返し片状ではあるが、図３（ｃ）に示すように前記第１実施例における側縁部１３に比べて小さく折り返している。
また、この第２実施例における排水部材６IIの隆起部６１１iiは、図３（ｄ）に示すように前記第１実施例における隆起部６１１に比べて高く形成している。
更に、この第２実施例におけるカバー材５IIは、配設前の上部保持部材３IIと一体に組み合わせており、横片３１iiに対して被覆部５１iiを覆うように取り付けた状態でこの複合部材を配設している。
【００３６】
また、この第２実施例では、下部保持部材２IIの支持部２３に縦葺き屋根板１IIの下り段状部１２を沿わせた状態で図中に点線にて示した仮止め用のビス１ｃ，１ｃ'を打ち込んでいるが、カバー材５II等の取付に干渉しなければどのようなものを用いてもよい。
そして、この第２実施例では、上部保持部材３IIの下部保持部材２IIへの取付構成が異なる以外は、前記第１実施例とほぼ同様の効果を奏することができる。
【００３７】
図４（ａ）に示す第３実施例の縦葺き屋根構造は、基本構造は、前記第２実施例と同様であり、上部保持部材３IIIと下部保持部材２IIIとの連結構造が上方からの弾性的な係合により行われるものである。
この第３実施例の下部保持部材２IIIの取付部２２iiiは、固定部２１iiiの左右に突出する鏃状に形成され、上部保持部材３IIIの係合部３２iiiは、横片３１iiiから裏面側へ延在する下向き片の先端に鏃状に形成されているので、この係合部３２iiiは前記取付部２２iiiへ上方から弾性的に係合させることができる。
そのため、前記上部保持部材３IIIを、前記下部保持部材２IIIに取り付ける際には、上方から押圧する係合させて連結する。
【００３８】
この第３実施例における縦葺き屋根板１IIIや排水部材６IIIは、図４（ｃ），（ｅ）に示すように寸法等が異なる以外は、前記第２実施例における縦葺き屋根板１IIや排水部材６IIと同様である。
また、この第３実施例における下部保持部材２IIIは、図４（ｃ）に示すように左右の縦片２５iiiの下端が排水部材６IIIの底面部６１iiiに接していない点で前記第１実施例や前記第２実施例とは相違する。
さらに、この第３実施例でも、下部保持部材２IIIの支持部２３iiiに縦葺き屋根板１IIIの下り段状部１２を沿わせた状態で図中に実線にて示した仮止め用のビス１ｃを打ち込んでいる。
また、この第３実施例におけるカバー材５IIIも、図４（ｂ）に示すように前記第２実施例と同様に配設前の上部保持部材３IIIと一体的に組み合わせており、横片３１iiiに対して被覆部５１iiiを覆うように取り付けた状態でこの複合部材を配設している。
なお、図４（ｅ）に示すようにこの排水部材６III（前記第２実施例の排水部材６IIも同様）は、複数部材を積み重ねた状態で嵩高さを抑えて搬送、管理することができる。
そして、これらの第２、第３実施例では、上部保持部材３II，３IIIの下部保持部材２II，３IIIへの取付構成が異なる以外は、前記第１実施例とほぼ同様の効果を奏することができる。
この第３実施例における下部保持部材２IIIのＬ字状片２４iiiも、前記第１，第２実施例における下部保持部材２，２IIのＬ字状片２４，２４iiと同様に、その横片（フランジ）を、雪止めや太陽熱集熱器機等の取付箇所とできる。なお、この第３実施例における下部保持部材２IIIの縦片２５iiiの下端は、前述のように排水部材６IIIの底面部６１iiiに接していないが、荷重が作用した際には容易に接地するため、前記第１，第２実施例と同様に雪止めや太陽熱集熱器機等からの荷重を受支することができる。
【００３９】
図５（ａ），（ｂ）に示す第４実施例の縦葺き屋根構造は、前記第１実施例と同様に上部保持部材３IVの係合部３３ivを、下部保持部材２IVの取付部２２ivに対し、側方から（図面では前方側から奥側へ向けて）差し込むように係合させて連結する。
また、この第４実施例におけるカバー材５IVも、前記第１実施例と同様に上部保持部材３IVに一体的に取り付けられる構成であり、上部保持部材３IVの配設後に、上方から弾性係合させてもよいし、予め上部保持部材３IVに弾性係合しておき、その状態の複合部材を下部保持部材２IVに対して差し込むように連結してもよい。
【００４０】
この第４実施例の下部保持部材２IVは、用いる排水部材６IVを内部に収容するように成形されているので、排水部材６IV自体には固定部を設けなくても左右にズレ動くことなく固定される。
また、この下部保持部材２IVは、略中央に凹状部分を備え、該凹状部分に上部保持部材３IVが取り付けられる構成であり、下部保持部材２IVの取付部２２ivは、前記凹状部分に左右から延出する突出部分であり、縦葺き屋根板１IVの側縁部１３ivや下り段状部１２ivを下方から支持する支持部２３ivの内側端に設けられている。
この第４実施例の上部保持部材３IVに設けた係合部３３ivは、左右の縦片の途中に外側へ突起するように形成されているので、この係合部３２ivは前記取付部２２ivへ側方から（図面の前方側から奥側へ向けて）差し込むように係合させることができる。
【符号の説明】
【００４１】
１〜１IV  縦葺き屋根板
１１  面板部
１２  下り段状部
１３  側縁部
２〜２IV  下部保持部材
２１〜２１iv  固定部
２２〜２２iv  取付部
２３〜２３iv  支持部
２４〜２４iv  Ｌ字状片
２５〜２５iv  脚片
３〜３IV  上部保持部材
３１  覆い部
３２  係合部
４  下地
５〜５IV  カバー材
６〜６IV  排水部材
【図１】
2020045698.tif 000003
【図２】
2020045698.tif 000004
【図３】
2020045698.tif 000005
【図４】
2020045698.tif 000006
【図５】
2020045698.tif 000007